(57)【要約】【課題】ＯＦＤＭ信号受信装置において、ガード期間長を超える遅延時間のマルチパス干渉が存在する場合に発生するシンボル間干渉の影響を軽減すると共に、ガード期間長を下回る遅延時間のマルチパス干渉に対する耐性を高める。【解決手段】入力信号からマルチパス干渉成分を減じる減算器と、マルチパス干渉成分を生成するフィルタと、減算器の入出力における伝送路特性を推定する第１及び第２の伝送路特性推定部と、それらの出力からキャンセル残差を算出する残差算出回路と、その出力を変換するＩＦＦＴ回路と、その出力からフィルタの係数を生成する係数更新回路と、減算器の出力を復調した結果を判定する判定回路と、減算器入力における系の伝送路特性から復調結果の信頼性を算出する信頼性算出回路と、信頼性に基づき判定データに重み付けを行う重み付け回路とを備え、重み付け回路はレベルの小さなキャリアに対応する判定データの信頼性を下げる。【選択図】        図１
2004165990.tif 000002
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対してフィルタリング処理を行うことにより、前記マルチパス干渉成分を生成するフィルタ手段と、
時間領域の信号である前記減算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
前記ＦＦＴ手段の出力から、前記減算器の出力において観測される系の伝送路特性を推定する第１の伝送路特性推定部と、
前記減算器の入力において観測される系の伝送路特性を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）手段と、
前記ＩＦＦＴ手段の出力から、前記フィルタ手段の係数を生成する係数更新手段と、
前記ＦＦＴ手段の出力を前記第１の伝送路特性推定部の出力で除することにより、伝送路歪の影響を補償する除算手段と、
前記除算手段の出力を正規の信号点配置に基づき判定し、判定データに変換する判定手段と、
前記第２の伝送路特性推定部の出力から前記除算手段の出力の信頼性を算出する信頼性算出手段と、
前記信頼性算出手段の出力に基づき前記判定データに重み付けを行う重み付け手段と、
前記重み付け手段の出力をビタビ復号するビタビ復号手段とを備える、ＯＦＤＭ信号受信装置。
【請求項２】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対してフィルタリング処理を行うことにより、前記マルチパス干渉成分を生成するフィルタ手段と、
時間領域の信号である前記減算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
前記ＦＦＴ手段の出力から、前記減算器の出力において観測される系の伝送路特性を推定する伝送路特性推定部と、
前記フィルタリング手段の伝達関数を算出する伝達関数算出部と、
前記伝送路特性推定部の出力及び前記伝達関数算出部の出力からキャンセル残差を算出する残差算出手段と、
前記残差算出手段の出力を、時間領域の信号に変換するＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）手段と、
前記ＩＦＦＴ手段の出力から、前記フィルタ手段の係数を生成する係数更新手段と、
前記ＦＦＴ手段の出力を前記伝送路特性推定部の出力で除することにより、伝送路歪の影響を補償する除算手段と、
前記除算手段の出力を正規の信号点配置に基づき判定し、判定データに変換する判定手段と、
前記伝送路特性推定部の出力及び前記伝達関数算出部の出力から前記除算手段の出力の信頼性を算出する信頼性算出手段と、
前記信頼性算出手段の出力に基づき前記判定データに重み付けを行う重み付け手段と、
前記重み付け手段の出力をビタビ復号するビタビ復号手段とを備える、ＯＦＤＭ信号受信装置。
【請求項３】
前記伝達関数算出部は、前記係数更新手段の出力をＦＦＴ（Ｆａｓｔ  Ｆｏｕｒｉｅｒ  Ｔｒａｎｓｆｏｒｍ：高速フーリエ変換）することにより、前記フィルタリング手段の伝達関数を算出することを特徴とする、請求項２に記載のＯＦＤＭ信号受信装置。
【請求項４】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対してフィルタリング処理を行うことにより、前記マルチパス干渉成分を生成する第１のフィルタ手段と、
前記減算器の出力に対してフィルタリング処理を行うことにより、前記マルチパス干渉成分のうち遅延時間が所定の時間よりも短い成分のみを生成する第２のフィルタ手段と、
前記減算器の出力に前記第２のフィルタ手段の出力を加える加算器と、
前記減算器の出力において観測される系の伝送路特性を推定する第１の伝送路特性推定部と、
前記減算器の入力において観測される系の伝送路特性を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）手段と、
前記ＩＦＦＴ手段の出力から、前記第１のフィルタ手段及び前記第２のフィルタ手段の係数を生成する係数更新手段と、
時間領域の信号である前記加算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
前記ＦＦＴ手段の出力から、前記加算器の出力において観測される系の伝送路特性を推定する第３の伝送路特性推定部と、
前記ＦＦＴ手段の出力を前記第３の伝送路特性推定部の出力で除することにより、伝送路歪の影響を補償する除算手段と、
前記除算手段の出力を正規の信号点配置に基づき判定し、判定データに変換する判定手段と、
前記第３の伝送路特性推定部の出力から前記除算手段の出力の信頼性を算出する信頼性算出手段と、
前記信頼性算出手段の出力に基づき前記判定データに重み付けを行う重み付け手段と、
前記重み付け手段の出力をビタビ復号するビタビ復号手段とを備える、ＯＦＤＭ信号受信装置。
【請求項５】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対してフィルタリング処理を行うことにより、前記マルチパス干渉成分を生成する第１のフィルタ手段と、
前記減算器の出力に対してフィルタリング処理を行うことにより、前記マルチパス干渉成分のうち遅延時間が所定の時間よりも短い成分のみを生成する第２のフィルタ手段と、
前記減算器の出力に前記第２のフィルタ手段の出力を加える加算器と、
前記減算器の出力において観測される系の伝送路特性を推定する第１の伝送路特性推定部と、
前記第１のフィルタリング手段の伝達関数を算出する伝達関数算出部と、
前記第１の伝送路特性推定部の出力及び前記伝達関数算出部の出力からキャンセル残差を算出する残差算出手段と、
前記残差算出手段の出力を、時間領域の信号に変換するＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）手段と、
前記ＩＦＦＴ手段の出力から、前記第１のフィルタ手段及び前記第２のフィルタ手段の係数を生成する係数更新手段と、
時間領域の信号である前記加算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
前記ＦＦＴ手段の出力から、前記加算器の出力において観測される系の伝送路特性を推定する第２の伝送路特性推定部と、
前記ＦＦＴ手段の出力を前記第２の伝送路特性推定部の出力で除することにより、伝送路歪の影響を補償する除算手段と、
前記除算手段の出力を正規の信号点配置に基づき判定し、判定データに変換する判定手段と、
前記第２の伝送路特性推定部の出力から前記除算手段の出力の信頼性を算出する信頼性算出手段と、
前記信頼性算出手段の出力に基づき前記判定データに重み付けを行う重み付け手段と、
前記重み付け手段の出力をビタビ復号するビタビ復号手段とを備える、ＯＦＤＭ信号受信装置。
【請求項６】
前記伝達関数算出部は、前記係数更新手段の出力をＦＦＴ（Ｆａｓｔ  Ｆｏｕｒｉｅｒ  Ｔｒａｎｓｆｏｒｍ：高速フーリエ変換）することにより、前記第１のフィルタリング手段の伝達関数を算出することを特徴とする、請求項５に記載のＯＦＤＭ信号受信装置。
【請求項７】
前記所定の時間は、前記入力信号のガード期間長に等しいことを特徴とする、請求項４または５に記載のＯＦＤＭ信号受信装置。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置に関し、より特定的には、ガード期間長を超える遅延時間のマルチパス干渉が存在する場合に発生するシンボル間干渉の影響を軽減するとともに、ガード期間長を下回る遅延時間のマルチパス干渉に対する耐性を高める受信装置に関する。
【０００２】
【従来の技術】
ＯＦＤＭ伝送方式は、伝送するデジタルデータによって互いに直交する多数のキャリアを変調し、それらの変調波を多重して伝送する方式である。ＯＦＤＭ伝送方式においては、使用するキャリアの数を数百から数千と多くするとシンボル時間が極めて長くなることに加え、有効シンボル期間後部の信号の複製をガード期間信号として有効シンボル期間の前に付加することにより、マルチパス干渉の影響を受けにくくするという特徴を有している。
【０００３】
しかしながら、ガード期間長を超える遅延時間のマルチパス干渉が存在する場合、シンボル間干渉が生じ、受信性能が劣化する。
【０００４】
信号処理によりマルチパス伝送路の伝送路特性を推定し、これを打ち消すようにトランスバーサルフィルタのフィルタ係数を制御することで、マルチパス干渉をキャンセルする手法が考案されている（例えば、特許文献１及び特許文献２参照）。
【０００５】
以下、従来技術に関して、図面を用いて説明する。
図８は、上記文献において前提としている伝送方式のパイロット信号配置を示す模式図である。欧州の地上デジタル放送方式であるＤＶＢ−Ｔ（Ｄｉｇｉｔａｌ  Ｖｉｄｅｏ  Ｂｒｏａｄｃａｓｔｉｎｇ  −  Ｔｅｒｒｅｓｔｒｉａｌ）方式や、日本の地上デジタル放送方式であるＩＳＤＢ−Ｔ（ＩｎｔｅｇｒａｔｅｄＳｅｒｖｉｃｅｓ  Ｄｉｇｉｔａｌ  Ｂｒｏａｄｃａｓｔｉｎｇ  −  Ｔｅｒｒｅｓｔｒｉａｌ）方式が、このパイロット信号配置に該当する。
【０００６】
図８中の白丸は、制御情報（ＤＶＢ−ＴにおけるＴＰＳ（Ｔｒａｎｓｍｉｓｓｉｏｎ  Ｐａｒａｍｅｔｅｒ  Ｓｉｇｎａｌｉｎｇ）や、ＩＳＤＢ−ＴにおけるＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ））や付加情報（ＩＳＤＢ−ＴにおけるＡＣ（Ａｕｘｉｌｉａｒｙ  Ｃｈａｎｎｅｌ））を含めたデータキャリアであり、黒丸は分散的に配置されたパイロットキャリア（ＳＰ（Ｓｃａｔｔｅｒｅｄ  Ｐｉｌｏｔ））である。
【０００７】
また、図８において、横軸（周波数軸）のｋはキャリアのインデックスを表わし、縦軸（時間軸）のｉはシンボルのインデックスを表わす。このときＳＰ信号は、次の（１）式を満たすインデックスｋ＝ｋｐのキャリアを用いて伝送される（ただし、式中のｍｏｄは剰余演算を表わし、ｐは非負整数である）。
【数１】
2004165990.tif 000003
【０００８】
また、ＳＰ信号は擬似ランダム符号系列に基づいて変調されており、その振幅及び位相は、配置されるキャリアのインデックスｋのみによって決定され、シンボルのインデックスｉには依存しない。
【０００９】
図９は、従来のＯＦＤＭ信号受信装置２の構成例を示すブロック図である。
【００１０】
図９において、アンテナ１により受信された信号は、ＯＦＤＭ信号受信装置２内部のチューナ２１に供給される。
【００１１】
チューナ２１は、アンテナから供給される受信信号に対して、所望のサービスを含むＯＦＤＭ信号の抽出、ＲＦ（Ｒａｄｉｏ  Ｆｒｅｑｕｅｎｃｙ：無線周波数）帯域からＩＦ（Ｉｎｔｅｒｍｅｄｉａｔｅ  Ｆｒｅｑｕｅｎｃｙ：中間周波数）帯域への周波数変換、ゲイン調整等を行う。チューナ２１の出力は、ＯＦＤＭ信号復調部２２に供給される。
【００１２】
ＯＦＤＭ信号復調部２２は、チューナ２１の出力を復調することにより伝送されたデジタルデータを復元した後、誤り訂正復号処理を施すことにより伝送路において加えられた外乱等に起因する伝送誤りを訂正する。ＯＦＤＭ信号復調部２２の出力は、情報源復号部２３に供給される。
【００１３】
情報源復号部２３は、ＯＦＤＭ信号復調部２２の出力を、映像、音声等のデータに分離した後、データ伸張処理を施す。情報源復号部２３の出力は、サービス提示部２４に供給される。
【００１４】
サービス提示部２４は、情報源復号部２３の出力の内、映像情報をＣＲＴ（Ｃａｔｈｏｄｅ  Ｒａｙ  Ｔｕｂｅ：陰極線管）等に表示し、音声情報をスピーカ等から出力することにより、所望のサービスを利用者に提供する。
【００１５】
図１０は、特許文献１に開示されているＯＦＤＭ信号受信装置中のＯＦＤＭ信号復調部２２ａの構成を示すブロック図である。
【００１６】
図１０において、直交復調回路２２０１は、チューナ２１の出力を直交復調することにより、ＩＦ帯域から基底帯域（以下、ベースバンド）へ周波数変換するとともに、実信号をＩ（Ｉｎ  ｐｈａｓｅ：同相）軸成分とＱ（Ｑｕａｄｒａｔｕｒｅ  ｐｈａｓｅ：直交位相）軸成分とからなる複素数信号に変換する。直交復調回路２２０１の出力は、減算器２２０２の第１の入力及びＦＦＴ（ＦａｓｔＦｏｕｒｉｅｒ  Ｔｒａｎｓｆｏｒｍ：高速フーリエ変換）回路２２０８ａに供給される。
【００１７】
減算器２２０２は、直交復調回路２２０１の出力からＦＩＲフィルタ２２０３の出力を減じることにより、マルチパス干渉を打ち消す。減算器２２０２の出力は、ＦＩＲフィルタ２２０３の第１の入力及びＦＦＴ回路２２０４に供給される。
【００１８】
ＦＩＲフィルタ２２０３は、係数更新回路２２１４ａから供給されるフィルタ係数に基づき減算器２２０２の出力にフィルタリング処理を施す。ＦＩＲフィルタ２２０３の出力は、減算器２２０２の第２の入力に供給される。
【００１９】
ＦＦＴ回路２２０４は、減算器２２０２の出力から有効シンボル期間長分の信号を切り出し、ＦＦＴすることにより、減算器２２０２の出力を時間領域から周波数領域に変換する。ＦＦＴ回路２２０４の出力は、複素除算回路２２０６の第１の入力及び複素除算回路２２１５の第１の入力に供給される。
【００２０】
ＳＰ発生回路２２０５、複素除算回路２２０６、及び補間回路２２０７で構成されるブロック（第１の伝送路特性推定部）は、減算器２２０２の出力において観測される系の伝送路特性Ｚ（ω）を推定する。第１の伝送路特性推定部の具体的な構成を以下に説明する。
【００２１】
ＳＰ発生回路２２０５は、ＦＦＴ回路２２０４の出力に同期して、その振幅及び位相が既知である規定のＳＰ信号を発生する。ＳＰ発生回路２２０５の出力は、複素除算回路２２０６の第２の入力に供給される。
【００２２】
複素除算回路２２０６は、ＦＦＴ回路２２０４の出力に含まれる受信ＳＰ信号をＳＰ発生回路２２０５の出力で除することにより、ＳＰ信号が配置されたキャリアに対する伝送路特性を求める。複素除算回路２２０６の出力Ｚｐ（ω）は、補間回路２２０７に供給される。
【００２３】
補間回路２２０７は、複素除算回路２２０６の出力Ｚｐ（ω）を補間し、信号帯域全体に対する伝送路特性を推定する。補間回路２２０７の出力Ｚ０（ω）は、残差算出回路２２１２ａの第１の入力及び複素除算回路２２１５の第２の入力に供給される。
【００２４】
一方、ＦＦＴ回路２２０８ａは、直交復調回路２２０１の出力から有効シンボル期間長分の信号を切り出し、ＦＦＴすることにより、直交復調回路２２０１の出力を時間領域から周波数領域に変換する。ＦＦＴ回路２２０８ａの出力は、複素除算回路２２１０の第１の入力に供給される。
【００２５】
ＳＰ発生回路２２０９、複素除算回路２２１０、及び補間回路２２１１で構成されるブロック（第２の伝送路特性推定部）は、減算器２２０２の入力において観測される系の伝送路特性Ｆ（ω）を推定する。第２の伝送路特性推定部の具体的な構成を以下に説明する。
【００２６】
ＳＰ発生回路２２０９は、ＦＦＴ回路２２０８ａの出力に同期して、その振幅及び位相が既知である規定のＳＰ信号を発生する。ＳＰ発生回路２２０９の出力は、複素除算回路２２１０の第２の入力に供給される。
【００２７】
複素除算回路２２１０は、ＦＦＴ回路２２０８ａの出力に含まれる受信ＳＰ信号をＳＰ発生回路２２０９の出力で除することにより、ＳＰ信号が配置されたキャリアに対する伝送路特性を求める。複素除算回路２２１０の出力Ｆｐ（ω）は補間回路２２１１に供給される。
【００２８】
補間回路２２１１は、複素除算回路２２１０の出力Ｆｐ（ω）を補間し、信号帯域全体に対する伝送路特性を推定する。補間回路２２１１の出力Ｆ０（ω）は残差算出回路２２１２ａの第２の入力に供給される。
【００２９】
次に、残差算出回路２２１２ａは、補間回路２２０７の出力Ｚ０（ω）及び補間回路２２１１の出力Ｆ０（ω）からキャンセル残差Ｅ（ω）を算出する。残差算出回路２２１２ａの出力は、ＩＦＦＴ回路２２１３に供給される。
【００３０】
ＩＦＦＴ回路２２１３は、残差算出回路２２１２ａの出力Ｅ（ω）をＩＦＦＴすることにより、周波数領域での残差Ｅ（ω）を時間領域での残差ｅ（ｔ）に変換する。ＩＦＦＴ回路２２１３の出力は、係数更新回路２２１４ａに供給される。
【００３１】
係数更新回路２２１４ａは、ＩＦＦＴ回路２２１３の出力ｅ（ｔ）から、所定の係数更新式に基づいてフィルタ係数ｗ（ｔ）を算出する。係数更新回路２２１４の出力は、ＦＩＲフィルタ２２０３の第２の入力に供給される。
【００３２】
複素除算回路２２１５は、ＦＦＴ回路２２０４の出力を補間回路２２０７の出力Ｚ０（ω）で除することにより、信号が伝送路で受けた振幅及び位相の歪を補償する。複素除算回路２２１５の出力は、判定回路２２１６に供給される。
【００３３】
判定回路２２１６は、複素除算回路２２１５の出力をそれぞれのキャリアの変調方式に対応した正規の信号点配置に基づき判定し、判定データに変換する。判定回路２２１６の出力は、ビタビ復号回路２２１７に供給される。
【００３４】
ビタビ復号回路２２１７は、判定回路２２１６の出力に対して最尤復号処理の一種であるビタビ復号処理を施す。ビタビ復号回路２２１７の出力は、ＲＳ（Ｒｅｅｄ−Ｓｏｌｏｍｏｎ：リードソロモン）復号回路２２１８に供給される。
【００３５】
ＲＳ復号回路２２１８は、ビタビ復号回路２２１７の出力にＲＳ復号処理を施す。ＲＳ復号回路２２１８の出力は、ＯＦＤＭ信号復調部２２ａの出力として、情報源復号部２３に供給される。
【００３６】
次に、ＯＦＤＭ信号復調部２２ａにおける減算器２２０２においてマルチパス干渉成分が打ち消される条件について説明する。
【００３７】
まず、マルチパス伝送路の伝達関数をＨ（ω）とすると、減算器２２０２の入力において観測される系の伝送路特性Ｆ（ω）は（２）式で表される。
【数２】
2004165990.tif 000004
【００３８】
また、ＦＩＲフィルタ２２０３の伝達関数はフィルタ係数ｗ（ｔ）のフーリエ変換対であり、これをＷ（ω）とすると、減算器２２０２の出力において観測される系の伝送路特性Ｚ（ω）は（３）式で表される。
【数３】
2004165990.tif 000005
【００３９】
（３）式より、マルチパス干渉成分が打ち消される条件は（４）式となるので、
【数４】
2004165990.tif 000006
キャンセル残差Ｅ（ω）を（５）式のように定義し、
【数５】
2004165990.tif 000007
（５）式に（２）式及び（３）式を代入し、Ｅ（ω）をＦ（ω）及びＺ（ω）で表わすと、（６）式が得られる。
【数６】
2004165990.tif 000008
【００４０】
残差算出回路２２１２ａは、（６）式のＺ（ω）としては補間回路２２０７の出力Ｚ０（ω）を用い、Ｆ（ω）としては補間回路２２１１の出力Ｆ０（ω）を用いることにより、キャンセル残差Ｅ（ω）を算出する。
【００４１】
さらに、係数更新回路２２１４ａでの係数更新式を（７）式で定義する。
【数７】
2004165990.tif 000009
【００４２】
ただし、（７）式中のｗ＿ｏｌｄ（ｔ）は更新前の係数、μは１以下の定数である。
【００４３】
以上の構成によって、図１０のＯＦＤＭ信号復調部２２ａにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【００４４】
図１１は、特許文献２に開示されているＯＦＤＭ信号受信装置におけるＯＦＤＭ信号復調部２２ｂの構成を示すブロック図である。
【００４５】
図１１に示すＯＦＤＭ信号復調部２２ｂは、減算器２２０２の入力において観測される系の伝送路特性Ｆ（ω）の代わりに、ＦＩＲフィルタ２２０３の伝達関数Ｗ（ω）を用いてキャンセル残差を求める点で、図１０に示すＯＦＤＭ信号復調部２２ａと相違する。なお、図１１において、図１０に示したＯＦＤＭ信号復調部２２ａと同様の機能を有する部分については、同一の参照符号を付し、機能及び動作の説明を省略する。
【００４６】
図１１において、補間回路２２０７の出力Ｚ０（ω）は、残差算出回路２２１２ｂの第１の入力及び複素除算回路２２１５の第２の入力に供給される。
【００４７】
ＦＦＴ回路２２０８ｂは、係数更新回路２２１４ａの出力ｗ（ｔ）をＦＦＴすることにより、ＦＩＲフィルタ２２０３の伝達関数Ｗ（ω）を算出する。ＦＦＴ回路２２０８ｂの出力は、残差算出回路２２１２ｂの第２の入力に供給される。
【００４８】
残差算出回路２２１２ｂは、補間回路２２０７の出力Ｚ０（ω）及びＦＦＴ回路２２０８ｂの出力Ｗ（ω）からキャンセル残差Ｅ（ω）を算出する。残差算出回路２２１２ｂの出力は、ＩＦＦＴ回路２２１３に供給される。
【００４９】
次に、ＯＦＤＭ信号復調部２２ｂにおける減算器２２０２においてマルチパス干渉成分が打ち消される条件について説明する。
【００５０】
図１１に示すＯＦＤＭ信号復調部２２ｂにおいても、図１０の場合と同様に（２）〜（５）式が成立するので、
（５）式に（２）式及び（３）式を代入し、Ｅ（ω）をＷ（ω）及びＺ（ω）で表わすと、（８）式が得られる。
【数８】
2004165990.tif 000010
【００５１】
残差算出回路２２１２ｂは、（８）式のＺ（ω）としては補間回路２２０７の出力Ｚ０（ω）を用い、Ｗ（ω）としてはＦＦＴ回路２２０８ｂの出力を用いることにより、キャンセル残差Ｅ（ω）を算出する。
【００５２】
以上の構成によって、図１１のＯＦＤＭ信号復調部２２ｂにおいても、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【００５３】
一方、ビタビ復号処理の入力である判定データの生成に、推定された伝送路特性を利用することで、ガード期間長を下回る遅延時間のマルチパス干渉に対する耐性を高める手法が考案されている（例えば、非特許文献１参照）。
【００５４】
図１２は、非特許文献１に開示されているＯＦＤＭ信号受信装置中のＯＦＤＭ信号復調部２２ｃの構成を示すブロック図である。図１２において、図１０に示したＯＦＤＭ信号復調部２２ａと同様の機能を有する部分については、同一の参照符号を付す。
【００５５】
直交復調回路２２０１は、チューナ２１の出力を直交復調することにより、ＩＦ帯域からベースバンドへ周波数変換するとともに、実信号をＩ軸成分とＱ軸成分とからなる複素数信号に変換する。直交復調回路２２０１の出力は、ＦＦＴ回路２２０４に供給される。
【００５６】
ＦＦＴ回路２２０４は、直交復調回路２２０１の出力から有効シンボル期間長分の信号を切り出し、ＦＦＴすることにより、直交復調回路２２０１の出力を時間領域から周波数領域に変換する。ＦＦＴ回路２２０４の出力は、複素除算回路２２０６の第１の入力及び複素除算回路２２１５の第１の入力に供給される。
【００５７】
ＳＰ発生回路２２０５、複素除算回路２２０６、及び補間回路２２０７で構成されるブロック（伝送路特性推定部）は、直交復調回路２２０１の出力において観測される系の伝送路特性Ｆ（ω）を推定する。伝送路特性推定部の具体的な構成を以下に説明する。
【００５８】
ＳＰ発生回路２２０５は、ＦＦＴ回路２２０４の出力に同期して、その振幅及び位相が既知である規定のＳＰ信号を発生する。ＳＰ発生回路２２０５の出力は、複素除算回路２２０６の第２の入力に供給される。
【００５９】
複素除算回路２２０６は、ＦＦＴ回路２２０４の出力に含まれる受信ＳＰ信号をＳＰ発生回路２２０５の出力で除することにより、ＳＰ信号が配置されたキャリアに対する伝送路特性を求める。複素除算回路２２０６の出力Ｆｐ（ω）は、補間回路２２０７に供給される。
【００６０】
補間回路２２０７は、複素除算回路２２０６の出力Ｆｐ（ω）を補間し、信号帯域全体に対する伝送路特性を推定する。補間回路２２０７の出力Ｆ０（ω）は、複素除算回路２２１５の第２の入力及び信頼性算出回路２２１９ａに供給される。
【００６１】
複素除算回路２２１５は、ＦＦＴ回路２２０４の出力を補間回路２２０７の出力Ｆ０（ω）で除することにより、信号が伝送路で受けた振幅及び位相の歪を補償する。複素除算回路２２１５の出力は、判定回路２２１６に供給される。
【００６２】
判定回路２２１６は、複素除算回路２２１５の出力をそれぞれのキャリアの変調方式に対応した正規の信号点配置に基づき判定し、判定データに変換する。判定回路２２１６の出力は、重み付け回路２２２０の第１の入力に供給される。
【００６３】
信頼性算出回路２２１９ａは、補間回路２２０７の出力から複素除算回路２２１５の出力の信頼性を算出する。信頼性算出回路２２１９ａの出力は、重み付け回路２２２０の第２の入力に供給される。
【００６４】
重み付け回路２２２０は、信頼性算出回路２２１９ａの出力に基づき判定回路２２１６の出力である判定データに重み付けを行う。重み付け回路２２２０の出力は、ビタビ復号回路２２１７に供給される。
【００６５】
ビタビ復号回路２２１７は、判定回路２２１６の出力に対して最尤復号処理の一種であるビタビ復号処理を施す。ビタビ復号回路２２１７の出力は、ＲＳ復号回路２２１８に供給される。
【００６６】
ＲＳ復号回路２２１８は、ビタビ復号回路２２１７の出力にＲＳ復号処理を施す。ＲＳ復号回路２２１８の出力は、ＯＦＤＭ信号復調部２２ａの出力として、情報源復号部２３に供給される。
【００６７】
次に、図１２のＯＦＤＭ信号復調部２２ｃにおいてマルチパス干渉に対する耐性を高める原理について図１３を用いて説明する。
【００６８】
マルチパス干渉がない場合のＯＦＤＭ信号のスペクトラムは、図１３（ａ）に示すように、信号帯域内において平坦な特性を有する。
【００６９】
これに対して遅延波による干渉が加わると、図１３（ｂ）に示すように、周期的なレベルの低下が発生し、さらにチューナの熱雑音等の雑音が加わると、図１３（ｃ）に示すようになる。
【００７０】
このときレベルが低下したキャリアに関しては、Ｃ／Ｎ（Ｃａｒｒｉｅｒ  ｔｏ  Ｎｏｉｓｅ  Ｒａｔｉｏ：信号対雑音比）が低下し、誤り率特性が劣化する。
【００７１】
そこで、信頼性算出回路２２１９ａでは、伝送路特性推定結果である補間回路２２０７の出力のレベルを算出し、重み付け回路２２２０では、そのレベルに基づき判定回路２２１６の出力である判定データに重み付けを行う。
【００７２】
より具体的には、レベルの小さなキャリアに対応する判定データに関しては、対応するビットデータが０である尤度と１である尤度とが近くなるよう補正を加える。極端な場合には判定データを消失とする、すなわち、対応するビットデータが０である尤度と１である尤度とを等しくすることにより、当該キャリアに対応する判定データがビタビ復号回路２２１７内部におけるメトリック算出に影響を与えないようにする。
【００７３】
以上の構成によって、図１２のＯＦＤＭ信号復調部２２ｃにおいては、レベルの小さなキャリアに対応する判定データの信頼性を下げることにより、マルチパス干渉に対する耐性を高めることができる。
【００７４】
【特許文献１】
特開２００１−２９２１２０号公報
【特許文献２】
特開２００２−１１１６２５号公報
【非特許文献１】
中原、外３名、「マルチパス伝送路における６４ＱＡＭ−ＯＦＤＭ信号の軟判定復号法の検討」、映像情報メディア学会技術報告、１９９８年６月、第２２巻、第３４号、ｐ．１−６
【００７５】
【発明が解決しようとする課題】
ここで、図１０のＯＦＤＭ信号復調部２２ａあるいは図１１のＯＦＤＭ信号復調部２２ｂの構成と図１２のＯＦＤＭ信号復調部２２ｃの構成とを単純に組み合わせた場合について考える。すなわち、ＯＦＤＭ信号復調部２２ａまたは２２ｂにおける補間回路２２０７の後段に、信頼性算出回路２２１９ａを設け、判定回路２２１６とビタビ復号回路２２１７との間に重み付け回路２２２０を設けた場合について考える。
【００７６】
このとき、図１０のＯＦＤＭ信号復調部２２ａあるいは図１１のＯＦＤＭ信号復調部２２ｂの構成によって、マルチパス干渉によってレベルが低下したキャリアが持ち上げられ、ＯＦＤＭ信号のスペクトラムは図１３（ｄ）に示すように平坦な特性となる。しかし同時に、元々平坦であった雑音のスペクトラムも持ち上げられてしまう。
【００７７】
つまり、図１０のＯＦＤＭ信号復調部２２ａあるいは図１１のＯＦＤＭ信号復調部２２ｂの構成に対して、図１２のＯＦＤＭ信号復調部２２ｃの構成を単純に組み合わせた構成では、ＯＦＤＭ信号のスペクトラムを補正することはできるが、マルチパス干渉によってレベルが低下したキャリアのＣ／Ｎを改善することはできない。
【００７８】
その結果、Ｃ／Ｎが低下したキャリアを検出することができなくなるため、「レベルの小さなキャリアに対応する判定データの信頼性を下げることにより、マルチパス干渉に対する耐性を高める」いう効果を発揮することができない。
【００７９】
それゆえ、本発明の目的は、ガード期間長を超える遅延時間のマルチパス干渉が存在する場合に発生するシンボル間干渉の影響を軽減するとともに、ガード期間長を下回る遅延時間のマルチパス干渉に対する耐性を高めるＯＦＤＭ信号受信装置を提供することである。
【００８０】
【課題を解決するための手段および発明の効果】
上記の課題を解決するために、本発明に係わるＯＦＤＭ信号受信装置は、以下のように構成される。
第１の発明は、ＯＦＤＭ（Ｏｒｔｈｏｇｏｎａｌ  Ｆｒｅｑｕｅｎｃｙ  Ｄ
ｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
減算器の出力に対してフィルタリング処理を行うことにより、マルチパス干渉成分を生成するフィルタ手段と、
時間領域の信号である減算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
ＦＦＴ手段の出力から、減算器の出力において観測される系の伝送路特性を推定する第１の伝送路特性推定部と、
減算器の入力において観測される系の伝送路特性を推定する第２の伝送路特性推定部と、
第１の伝送路特性推定部の出力及び第２の伝送路特性推定部の出力からキャンセル残差を算出する残差算出手段と、
残差算出手段の出力を、時間領域の信号に変換するＩＦＦＴ（ＩｎｖｅｒｓｅＦａｓｔ  Ｆｏｕｒｉｅｒ  Ｔｒａｎｓｆｏｒｍ：逆高速フーリエ変換）手段と、
ＩＦＦＴ手段の出力から、フィルタ手段の係数を生成する係数更新手段と、
ＦＦＴ手段の出力を第１の伝送路特性推定部の出力で除することにより、伝送路歪の影響を補償する除算手段と、
除算手段の出力を正規の信号点配置に基づき判定し、判定データに変換する判定手段と、
第２の伝送路特性推定部の出力から除算手段の出力の信頼性を算出する信頼性算出手段と、
信頼性算出手段の出力に基づき判定データに重み付けを行う重み付け手段と、
重み付け手段の出力をビタビ復号するビタビ復号手段とを備える。
【００８１】
第２の発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
減算器の出力に対してフィルタリング処理を行うことにより、マルチパス干渉成分を生成するフィルタ手段と、
時間領域の信号である減算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
ＦＦＴ手段の出力から、減算器の出力において観測される系の伝送路特性を推定する伝送路特性推定部と、
フィルタリング手段の伝達関数を算出する伝達関数算出部と、
伝送路特性推定部の出力及び伝達関数算出部の出力からキャンセル残差を算出する残差算出手段と、
残差算出手段の出力を、時間領域の信号に変換するＩＦＦＴ（ＩｎｖｅｒｓｅＦａｓｔ  Ｆｏｕｒｉｅｒ  Ｔｒａｎｓｆｏｒｍ：逆高速フーリエ変換）手段と、
ＩＦＦＴ手段の出力から、フィルタ手段の係数を生成する係数更新手段と、
ＦＦＴ手段の出力を伝送路特性推定部の出力で除することにより、伝送路歪の影響を補償する除算手段と、
除算手段の出力を正規の信号点配置に基づき判定し、判定データに変換する判定手段と、
伝送路特性推定部の出力及び伝達関数算出部の出力から除算手段の出力の信頼性を算出する信頼性算出手段と、
信頼性算出手段の出力に基づき判定データに重み付けを行う重み付け手段と、
重み付け手段の出力をビタビ復号するビタビ復号手段とを備える。
【００８２】
第３の発明は、第２の発明において、伝達関数算出部が、係数更新手段の出力をＦＦＴ（Ｆａｓｔ  Ｆｏｕｒｉｅｒ  Ｔｒａｎｓｆｏｒｍ：高速フーリエ変換）することにより、フィルタリング手段の伝達関数を算出することを特徴とする。
【００８３】
第４の発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
減算器の出力に対してフィルタリング処理を行うことにより、マルチパス干渉成分を生成する第１のフィルタ手段と、
減算器の出力に対してフィルタリング処理を行うことにより、マルチパス干渉成分のうち遅延時間が所定の時間よりも短い成分のみを生成する第２のフィルタ手段と、
減算器の出力に第２のフィルタ手段の出力を加える加算器と、
減算器の出力において観測される系の伝送路特性を推定する第１の伝送路特性推定部と、
減算器の入力において観測される系の伝送路特性を推定する第２の伝送路特性推定部と、
第１の伝送路特性推定部の出力及び第２の伝送路特性推定部の出力からキャンセル残差を算出する残差算出手段と、
残差算出手段の出力を、時間領域の信号に変換するＩＦＦＴ（ＩｎｖｅｒｓｅＦａｓｔ  Ｆｏｕｒｉｅｒ  Ｔｒａｎｓｆｏｒｍ：逆高速フーリエ変換）手段と、
ＩＦＦＴ手段の出力から、第１のフィルタ手段及び第２のフィルタ手段の係数を生成する係数更新手段と、
時間領域の信号である加算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
ＦＦＴ手段の出力から、加算器の出力において観測される系の伝送路特性を推定する第３の伝送路特性推定部と、
ＦＦＴ手段の出力を第３の伝送路特性推定部の出力で除することにより、伝送路歪の影響を補償する除算手段と、
除算手段の出力を正規の信号点配置に基づき判定し、判定データに変換する判定手段と、
第３の伝送路特性推定部の出力から除算手段の出力の信頼性を算出する信頼性算出手段と、
信頼性算出手段の出力に基づき判定データに重み付けを行う重み付け手段と、
重み付け手段の出力をビタビ復号するビタビ復号手段とを備える。
【００８４】
第５の発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
減算器の出力に対してフィルタリング処理を行うことにより、マルチパス干渉成分を生成する第１のフィルタ手段と、
減算器の出力に対してフィルタリング処理を行うことにより、マルチパス干渉成分のうち遅延時間が所定の時間よりも短い成分のみを生成する第２のフィルタ手段と、
減算器の出力に第２のフィルタ手段の出力を加える加算器と、
減算器の出力において観測される系の伝送路特性を推定する第１の伝送路特性推定部と、
第１のフィルタリング手段の伝達関数を算出する伝達関数算出部と、
第１の伝送路特性推定部の出力及び伝達関数算出部の出力からキャンセル残差を算出する残差算出手段と、
残差算出手段の出力を、時間領域の信号に変換するＩＦＦＴ（ＩｎｖｅｒｓｅＦａｓｔ  Ｆｏｕｒｉｅｒ  Ｔｒａｎｓｆｏｒｍ：逆高速フーリエ変換）手段と、
ＩＦＦＴ手段の出力から、第１のフィルタ手段及び第２のフィルタ手段の係数を生成する係数更新手段と、
時間領域の信号である加算器の出力を周波数領域の信号へと変換するＦＦＴ（Ｆａｓｔ  Ｆｏｕｒｉｅｒ  Ｔｒａｎｓｆｏｒｍ：高速フーリエ変換）手段と、
ＦＦＴ手段の出力から、加算器の出力において観測される系の伝送路特性を推定する第２の伝送路特性推定部と、
ＦＦＴ手段の出力を第２の伝送路特性推定部の出力で除することにより、伝送路歪の影響を補償する除算手段と、
除算手段の出力を正規の信号点配置に基づき判定し、判定データに変換する判定手段と、
第２の伝送路特性推定部の出力から除算手段の出力の信頼性を算出する信頼性算出手段と、
信頼性算出手段の出力に基づき判定データに重み付けを行う重み付け手段と、
重み付け手段の出力をビタビ復号するビタビ復号手段とを備える。
【００８５】
第６の発明は、第５の発明において、伝達関数算出部が、係数更新手段の出力をＦＦＴ（Ｆａｓｔ  Ｆｏｕｒｉｅｒ  Ｔｒａｎｓｆｏｒｍ：高速フーリエ変換）することにより、第１のフィルタリング手段の伝達関数を算出することを特徴とする。
【００８６】
第７の発明は、第４または第５の発明において、所定の時間が、入力信号のガード期間長に等しいことを特徴とする。
【００８７】
以上のように本発明によるＯＦＤＭ信号受信装置は、マルチパス干渉をキャンセルする前の伝送路特性から信頼性を算出し、その算出結果に基づき判定結果に重み付けを行う、あるいは、シンボル間干渉を引き起こすマルチパス成分、つまりガード期間長を超える遅延時間のマルチパス成分のみをキャンセルすることにより、ガード期間長を超える遅延時間のマルチパス干渉が存在する場合に発生するシンボル間干渉の影響を軽減するとともに、ガード期間長を下回る遅延時間のマルチパス干渉に対する耐性を高めることができる。
【００８８】
【発明の実施の形態】
本発明の実施形態に係るＯＦＤＭ信号受信装置の構成は、従来のものと同様であるので、図９を援用する。また、パイロット信号配置についても同様であるので、図８を援用する。
（第１の実施形態）
図１は、本発明の第１の実施形態におけるＯＦＤＭ信号受信装置２中のＯＦＤＭ信号復調部２２ｄの構成を示すブロック図である。
【００８９】
図１において、図１０に示すＯＦＤＭ信号復調部２２ａと同様の機能を有する部分については、同一の参照符号を付す。直交復調回路２２０１は、チューナ２１の出力を直交復調することにより、ＩＦ帯域からベースバンドへ周波数変換するとともに、実信号をＩ軸成分とＱ軸成分とからなる複素数信号に変換する。直交復調回路２２０１の出力は、減算器２２０２の第１の入力及びＦＦＴ回路２２０８ａに供給される。
【００９０】
減算器２２０２は、直交復調回路２２０１の出力からＦＩＲフィルタ２２０３の出力を減じることにより、マルチパス干渉を打ち消す。減算器２２０２の出力は、ＦＩＲフィルタ２２０３の第１の入力及びＦＦＴ回路２２０４に供給される。
【００９１】
ＦＩＲフィルタ２２０３は、係数更新回路２２１４ａから供給されるフィルタ係数に基づき減算器２２０２の出力にフィルタリング処理を施す。ＦＩＲフィルタ２２０３の出力は、減算器２２０２の第２の入力に供給される。
【００９２】
ＦＦＴ回路２２０４は、減算器２２０２の出力から有効シンボル期間長分の信号を切り出し、ＦＦＴすることにより、減算器２２０２の出力を時間領域から周波数領域に変換する。ＦＦＴ回路２２０４の出力は、複素除算回路２２０６の第１の入力、及び複素除算回路２２１５の第１の入力に供給される。
【００９３】
ＳＰ発生回路２２０５、複素除算回路２２０６、及び補間回路２２０７で構成されるブロック（第１の伝送路特性推定部）は、減算器２２０２の出力において観測される系の伝送路特性Ｚ（ω）を推定する。第１の伝送路特性推定部の具体的な構成を以下に説明する。
【００９４】
ＳＰ発生回路２２０５は、ＦＦＴ回路２２０４の出力に同期して、その振幅及び位相が既知である規定のＳＰ信号を発生する。ＳＰ発生回路２２０５の出力は、複素除算回路２２０６の第２の入力に供給される。
【００９５】
複素除算回路２２０６は、ＦＦＴ回路２２０４の出力に含まれる受信ＳＰ信号をＳＰ発生回路２２０５の出力で除することにより、ＳＰ信号が配置されたキャリアに対する伝送路特性を求める。複素除算回路２２０６の出力Ｚｐ（ω）は、補間回路２２０７に供給される。
【００９６】
補間回路２２０７は、複素除算回路２２０６の出力Ｚｐ（ω）を補間し、信号帯域全体に対する伝送路特性を推定する。補間回路２２０７の出力Ｚ０（ω）は残差算出回路２２１２ａの第１の入力及び複素除算回路２２１５の第２の入力に供給される。
【００９７】
一方、ＦＦＴ回路２２０８ａは、直交復調回路２２０１の出力から有効シンボル期間長分の信号を切り出し、ＦＦＴすることにより、直交復調回路２２０１の出力を時間領域から周波数領域に変換する。ＦＦＴ回路２２０８ａの出力は、複素除算回路２２１０の第１の入力に供給される。
【００９８】
ＳＰ発生回路２２０９、複素除算回路２２１０、及び補間回路２２１１で構成されるブロック（第２の伝送路特性推定部）は、減算器２２０２の入力において観測される系の伝送路特性Ｆ（ω）を推定する。第２の伝送路特性推定部の具体的な構成を以下に説明する。
【００９９】
ＳＰ発生回路２２０９は、ＦＦＴ回路２２０８ａの出力に同期して、その振幅及び位相が既知である規定のＳＰ信号を発生する。ＳＰ発生回路２２０９の出力は、複素除算回路２２１０の第２の入力に供給される。
【０１００】
複素除算回路２２１０は、ＦＦＴ回路２２０８ａの出力に含まれる受信ＳＰ信号をＳＰ発生回路２２０９の出力で除することにより、ＳＰ信号が配置されたキャリアに対する伝送路特性を求める。複素除算回路２２１０の出力Ｆｐ（ω）は、補間回路２２１１に供給される。
【０１０１】
補間回路２２１１は、複素除算回路２２１０の出力Ｆｐ（ω）を補間し、信号帯域全体に対する伝送路特性を推定する。補間回路２２１１の出力Ｆ０（ω）は、残差算出回路２２１２ａの第２の入力及び信頼性算出回路２２１９ａに供給される。
【０１０２】
次に、残差算出回路２２１２ａは、補間回路２２０７の出力Ｚ０（ω）及び補間回路２２１１の出力Ｆ０（ω）からキャンセル残差Ｅ（ω）を算出するもので、その出力はＩＦＦＴ回路２２１３に供給される。
【０１０３】
ＩＦＦＴ回路２２１３は、残差算出回路２２１２ａの出力Ｅ（ω）をＩＦＦＴすることにより、周波数領域での残差Ｅ（ω）を時間領域での残差ｅ（ｔ）に変換する。ＩＦＦＴ回路２２１３の出力は、係数更新回路２２１４ａに供給される。
【０１０４】
係数更新回路２２１４ａは、ＩＦＦＴ回路２２１３の出力ｅ（ｔ）から、所定の係数更新式に基づいてフィルタ係数ｗ（ｔ）を算出する。係数更新回路２２１４ａの出力は、ＦＩＲフィルタ２２０３の第２の入力に供給される。
【０１０５】
複素除算回路２２１５は、ＦＦＴ回路２２０４の出力を補間回路２２０７の出力で除することにより、信号が伝送路で受けた振幅及び位相の歪を補償する。複素除算回路２２１５の出力は、判定回路２２１６に供給される。
【０１０６】
判定回路２２１６は、複素除算回路２２１５の出力をそれぞれのキャリアの変調方式に対応した正規の信号点配置に基づき判定し、判定データに変換する。判定回路２２１６の出力は、重み付け回路２２２０の第１の入力に供給される。
【０１０７】
ここで、前述のＤＶＢ−ＴやＩＳＤＢ−Ｔでは、データキャリアの変調方式として、ＱＰＳＫ（Ｑｕａｒｔｅｒｎａｒｙ  Ｐｈａｓｅ  Ｓｈｉｆｔ  Ｋｅｙｉｎｇ：４相位相変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ等が適用される。
【０１０８】
なお図１中には示していないが、判定回路２２１６で処理するデータキャリアの変調方式は、受信信号中に含まれる制御情報（ＤＶＢ−ＴにおけるＴＰＳやＩＳＤＢ−ＴにおけるＴＭＣＣ）を復調することで得られる。
【０１０９】
信頼性算出回路２２１９ａは、補間回路２２１１の出力から複素除算回路２２１５の出力の信頼性を算出する。信頼性算出回路２２１９ａの出力は、重み付け回路２２２０の第２の入力に供給される。
【０１１０】
重み付け回路２２２０は、信頼性算出回路２２１９ａの出力に基づき判定回路２２１６の出力である判定データに重み付けを行う。重み付け回路２２２０の出力は、ビタビ復号回路２２１７に供給される。
【０１１１】
ビタビ復号回路２２１７は、判定回路２２１６の出力に対して最尤復号処理の一種であるビタビ復号処理を施す。ビタビ復号回路２２１７の出力は、ＲＳ復号回路２２１８に供給される。
【０１１２】
ＲＳ復号回路２２１８は、ビタビ復号回路２２１７の出力にＲＳ復号処理を施す。ＲＳ復号回路２２１８の出力は、ＯＦＤＭ信号復調部２２ａの出力として、情報源復号部２３に供給される。
【０１１３】
次に、ＯＦＤＭ信号復調部２２ｄにおける減算器２２０２においてマルチパス干渉成分が打ち消される条件について説明する。
【０１１４】
まず、マルチパス伝送路の伝達関数をＨ（ω）とすると、減算器２２０２の入力において観測される系の伝送路特性Ｆ（ω）は（９）式で表される。
【数９】
2004165990.tif 000011
【０１１５】
また、ＦＩＲフィルタ２２０３の伝達関数はフィルタ係数ｗ（ｔ）のフーリエ変換対であり、これをＷ（ω）とすると、減算器２２０２の出力において観測される系の伝送路特性Ｚ（ω）は（１０）式で表される。
【数１０】
2004165990.tif 000012
【０１１６】
（１０）式より、マルチパス干渉成分が打ち消される条件は（１１）式となるので、
【数１１】
2004165990.tif 000013
キャンセル残差Ｅ（ω）を（１２）式のように定義し、
【数１２】
2004165990.tif 000014
（１２）式に（９）式及び（１０）式を代入し、Ｅ（ω）をＦ（ω）及びＺ（ω）で表わすと、（１３）式が得られる。
【数１３】
2004165990.tif 000015
【０１１７】
残差算出回路２２１２ａは、（１３）式のＺ（ω）としては補間回路２２０７の出力Ｚ０（ω）を用い、Ｆ（ω）としては補間回路２２１１の出力Ｆ０（ω）を用いることにより、キャンセル残差Ｅ（ω）を算出する。
【０１１８】
さらに、係数更新回路２２１４ａでの係数更新式を（１４）式で定義する。
【数１４】
2004165990.tif 000016
【０１１９】
ただし、（１４）式中のｗ＿ｏｌｄ（ｔ）は更新前の係数、μは１以下の定数である。
【０１２０】
以上の構成によって、図１のＯＦＤＭ信号復調部２２ｄにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【０１２１】
また、本実施の形態において、信頼性算出回路２２１９ａは補間回路２２１１の出力のレベルを算出するが、補間回路２２１１の出力は、マルチパス干渉をキャンセルする前の伝送路特性Ｆ（ω）であるので、信頼性算出回路２２１９ａでは、マルチパス干渉によってレベルが低下したキャリア、すなわちＣ／Ｎが低下したキャリアを正確に検出することができる。
【０１２２】
重み付け回路２２２０は、信頼性算出回路２２１９ａの出力に基づき判定回路２２１６の出力である判定データに重み付けを行う。より具体的には、レベルの小さなキャリアに対応する判定データに関しては、対応するビットデータが０である尤度と１である尤度とが近くなるよう補正を加える。さらに極端な場合には判定データを消失とする、すなわち、対応するビットデータが０である尤度と１である尤度とを等しくすることにより、当該キャリアに対応する判定データがビタビ復号回路２２１７内部におけるメトリック算出に影響を与えないようにする。
【０１２３】
以上の構成によって、第１の実施形態に係るＯＦＤＭ信号復調部２２ｄでは、レベルの小さなキャリアに対応する判定データの信頼性を下げることにより、マルチパス干渉に対する耐性を高めることが可能となる。
【０１２４】
（第２の実施形態）
図２は、本発明の第２の実施形態におけるＯＦＤＭ信号受信装置２中のＯＦＤＭ信号復調部２２ｅの構成を示すブロック図である。図２において、図１と同一部分には同一符号を付して示す。
【０１２５】
図２に示すＯＦＤＭ信号復調部２２ｅは、減算器２２０２の入力において観測される系の伝送路特性Ｆ（ω）の代わりに、ＦＩＲフィルタ２２０３の伝達関数Ｗ（ω）を用いてキャンセル残差を求める点で、図１に示すＯＦＤＭ信号復調部２２ｄと相違する。
【０１２６】
図２において、補間回路２２０７の出力Ｚ０（ω）は、複素除算回路２２１５の第２の入力、残差算出回路２２１２ｂの第１の入力及び信頼性算出回路２２１９ｂの第１の入力に供給される。
【０１２７】
ＦＦＴ回路２２０８ｂは、係数更新回路２２１４ａの出力ｗ（ｔ）をＦＦＴすることにより、ＦＩＲフィルタ２２０３の伝達関数Ｗ（ω）を算出する。ＦＦＴ回路２２０８ｂの出力は、残差算出回路２２１２ｂの第２の入力及び信頼性算出回路２２１９ｂの第２の入力に供給される。
【０１２８】
残差算出回路２２１２ｂは、補間回路２２０７の出力Ｚ０（ω）及びＦＦＴ回路２２０８ｂの出力Ｗ（ω）からキャンセル残差Ｅ（ω）を算出する。残差算出回路２２１ｂの出力は、ＩＦＦＴ回路２２１３に供給される。
【０１２９】
信頼性算出回路２２１９ｂは、補間回路２２０７の出力及びＦＦＴ回路２２０８ｂの出力から複素除算回路２２１５の出力の信頼性を算出する。信頼性算出回路２２１９ｂの出力は、重み付け回路２２２０の第２の入力に供給される。他の構成及び動作は、図１と同一であるので説明を省略する。
【０１３０】
次に、ＯＦＤＭ信号復調部２２ａにおける減算器２２０２においてマルチパス干渉成分が打ち消される条件について説明する。
【０１３１】
図２に示すＯＦＤＭ信号復調部２２ｅにおいても、図１の場合と同様に（９）〜（１２）式が成立するので、（１２）式に（９）式及び（１０）式を代入し、Ｅ（ω）をＷ（ω）及びＺ（ω）で表わすと、（１５）式が得られる。
【数１５】
2004165990.tif 000017
【０１３２】
残差算出回路２２１２ｂは、（１５）式のＺ（ω）としては補間回路２２０７の出力Ｚ０（ω）を用い、Ｗ（ω）としてはＦＦＴ回路２２０８ｂの出力を用いることにより、キャンセル残差Ｅ（ω）を算出する。
【０１３３】
以上の構成によって、図２のＯＦＤＭ信号復調部２２ｅにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【０１３４】
また上記の結果、ＦＦＴ回路２２０８ｂの出力Ｗ（ω）はマルチパス伝送路の伝達関数Ｈ（ω）と等しくなり、補間回路２２０７の出力Ｚ０（ω）はマルチパス干渉成分が除去された系の伝送路特性となる。そこで信頼性算出回路２２１９ｂでは、Ｚ０（ω）とＷ（ω）との和としてマルチパス干渉の影響を受けた系の伝送路特性を算出し、そのレベルを算出することにより、マルチパス干渉によってレベルが低下したキャリア、すなわちＣ／Ｎが低下したキャリアを正確に検出することができる。
【０１３５】
このように、図２のＯＦＤＭ信号復調部２２ｅにおいては、レベルの小さなキャリアに対応する判定データの信頼性を下げることにより、マルチパス干渉に対する耐性を高めることができる。
【０１３６】
また、第２の実施形態によれば、第１の実施形態に比して、ＳＰ発生回路２２０９、複素除算回路２２１０、補間回路２２１１を省略することができ、ハードウェアの規模を削減することができる。
【０１３７】
（第３の実施形態）
図３は、本発明の第３の実施形態におけるＯＦＤＭ信号受信装置２中のＯＦＤＭ信号復調部２２ｆの構成を示すブロック図である。図３において、図１と同一部分には同一符号を付して示す。
【０１３８】
図３に示すＯＦＤＭ信号復調部２２ｆの特徴は、図１におけるＯＦＤＭ信号復調部２２ｄに加算器２２２１及び第２のＦＩＲフィルタ２２２２を追加したことである。なお、第２のＦＩＲフィルタ２２２２と区別するために、ＦＩＲフィルタ２２０３を第１のＦＩＲフィルタと呼ぶことにするが、図１の場合と同一機能を有するので、図３上、同一の符号で示す。
【０１３９】
図３において、直交復調回路２２０１は、チューナ２１の出力を直交復調することにより、ＩＦ帯域からベースバンドへ周波数変換するとともに、実信号をＩ軸成分とＱ軸成分とからなる複素数信号に変換する。直交復調回路２２０１の出力は、減算器２２０２の第１の入力及びＦＦＴ回路２２０８ａに供給される。
【０１４０】
減算器２２０２は、直交復調回路２２０１の出力からＦＩＲフィルタ２２０３の出力を減じることにより、マルチパス干渉を打ち消す。減算器２２０２の出力は、ＦＩＲフィルタ２２０３の第１の入力、ＦＦＴ回路２２０４、加算器２２２１の第１の入力、及び第２のＦＩＲフィルタ２２２２の第１の入力に供給される。
【０１４１】
第１のＦＩＲフィルタ２２０３は、係数更新回路２２１４ｂから供給されるフィルタ係数に基づき減算器２２０２の出力にフィルタリング処理を施す。第１のＦＩＲフィルタ２２０３の出力は、減算器２２０２の第２の入力に供給される。
【０１４２】
加算器２２２１は、減算器２２０２の出力に第２のＦＩＲフィルタ２２２２の出力を加える。加算器２２２１の出力は、ＦＦＴ回路２２２３に供給される。
【０１４３】
第２のＦＩＲフィルタ２２２２は、係数更新回路２２１４ｂから供給されるフィルタ係数に基づき減算器２２０２の出力にフィルタリング処理を施すことにより、マルチパス干渉成分のうち遅延時間が所定の時間よりも短い成分のみを生成する。第２のＦＩＲフィルタ２２２２の出力は、加算器２２２１の第２の入力に供給される。
【０１４４】
係数更新回路２２１４ｂは、ＩＦＦＴ回路２２１３の出力ｅ（ｔ）から、所定の係数更新式に基づいてフィルタ係数ｗ（ｔ）を算出する。係数更新回路２２１４ｂの第１の出力はＦＩＲフィルタ２２０３の第２の入力に供給され、第２の出力はＦＩＲフィルタ２２２２の第２の入力に供給される。
【０１４５】
ここで、係数更新回路２２１４ｂの第１の出力はｗ（ｔ）そのものであるが、第２の出力は、ｗ（ｔ）から上記の所定の時間よりも短い遅延時間に対応する部分のみを抽出したものである。
【０１４６】
ＦＦＴ回路２２２３は、加算器２２２１の出力から有効シンボル期間長分の信号を切り出し、ＦＦＴすることにより、加算器２２２１の出力を時間領域から周波数領域に変換する。ＦＦＴ回路２２２３の出力は、複素除算回路２２２５の第１の入力及び複素除算回路２２１５の第１の入力に供給される。
【０１４７】
ＳＰ発生回路２２２４、複素除算回路２２２５、及び補間回路２２２６で構成されるブロック（第３の伝送路特性推定部）は、加算器２２２１の出力において観測される系の伝送路特性を推定する。第３の伝送路特性推定部の具体的な構成及び動作は、ＳＰ発生回路２２０５、複素除算回路２２０６、及び補間回路２２０７で構成される第１の伝送路特性推定部、あるいは、ＳＰ発生回路２２０９、複素除算回路２２１０、及び補間回路２２１１で構成される第２の伝送路特性推定部と同様であるので説明を省略する。
【０１４８】
複素除算回路２２１５は、ＦＦＴ回路２２２３の出力を補間回路２２２６の出力で除することにより、信号が伝送路で受けた振幅及び位相の歪を補償する。複素除算回路２２１５の出力は、判定回路２２１６に供給される。
【０１４９】
判定回路２２１６は、複素除算回路２２１５の出力をそれぞれのキャリアの変調方式に対応した正規の信号点配置に基づき判定し、判定データに変換する。判定回路２２１６の出力は、重み付け回路２２２０の第１の入力に供給される。
【０１５０】
信頼性算出回路２２１９ａは、補間回路２２２６の出力から複素除算回路２２１５の出力の信頼性を算出する。信頼性算出回路２２１９の出力は、重み付け回路２２２０の第２の入力に供給される。
【０１５１】
重み付け回路２２２０は、信頼性算出回路２２１９ａの出力に基づき判定回路２２１６の出力である判定データに重み付けを行う。重み付け回路２２２０の出力は、ビタビ復号回路２２１７に供給される。
【０１５２】
ビタビ復号回路２２１７は、判定回路２２１６の出力に対して最尤復号処理の一種であるビタビ復号処理を施す。ビタビ復号回路２２１７の出力は、ＲＳ復号回路２２１８に供給される。
【０１５３】
ＲＳ復号回路２２１８は、ビタビ復号回路２２１７の出力にＲＳ復号処理を施す。ＲＳ復号回路２２１８の出力は、ＯＦＤＭ信号復調部２２ｆの出力として、情報源復号部２３に供給される。
【０１５４】
他の構成及び動作は、図１と同一であるので説明を省略する。
【０１５５】
以上の構成によって、図３のＯＦＤＭ信号復調部２２ｆにおいては、減算器２２０２及び第１のＦＩＲフィルタ２２０３によって、一旦マルチパス干渉をキャンセルするが、加算器２２２１及び第２のＦＩＲフィルタ２２２２によって、マルチパス干渉成分のうち遅延時間が所定の時間よりも短い成分のみ、再び付加する。
【０１５６】
ここで、上記の所定の時間としてはガード期間長を選ぶことが望ましく、この場合、減算器２２０２、第１のＦＩＲフィルタ２２０３、加算器２２２１、及び第２のＦＩＲフィルタ２２２２で構成されるブロックは、シンボル間干渉を引き起こすマルチパス成分、つまりガード期間長を超える遅延時間のマルチパス成分のみをキャンセルすることになる。
【０１５７】
一方、信頼性算出回路２２１９ａは補間回路２２２６の出力のレベルを算出するが、補間回路２２２６の出力は、遅延時間が所定の時間よりも短いマルチパス成分が付加された伝送路特性であるので、信頼性算出回路２２１９ａでは、マルチパス干渉によってレベルが低下したキャリア、すなわちＣ／Ｎが低下したキャリアを正確に検出することができる。
【０１５８】
以上の構成により、第３の実施形態によれば、ガード期間長を超える遅延時間のマルチパス干渉が存在する場合に発生するシンボル間干渉の影響を軽減するとともに、ガード期間長を下回る遅延時間のマルチパス干渉に対する耐性を高めることが可能となる。
【０１５９】
（第４の実施形態）
図４は、本発明の第４の実施形態におけるＯＦＤＭ信号受信装置２中のＯＦＤＭ信号復調部２２ｇの構成を示すブロック図である。図４において、図２及び図３と同一部分には同一符号を付して示す。
【０１６０】
図４に示すＯＦＤＭ信号復調部２２ｇは、減算器２２０２の入力において観測される系の伝送路特性Ｆ（ω）の代わりに、ＦＩＲフィルタ２２０３の伝達関数Ｗ（ω）を用いてキャンセル残差を求める点で、図３に示すＯＦＤＭ信号復調部２２ｆと相違する。
【０１６１】
つまり、図４に示すＯＦＤＭ信号復調部２２ｇと図３に示すＯＦＤＭ信号復調部２２ｆとの関係は、図２に示すＯＦＤＭ信号復調部２２ｅと図１に示すＯＦＤＭ信号復調部２２ｄとの関係と同様であるので、詳細な構成及び動作の説明は省略する。図４において、第２の伝送路特性推定部と記したブロックは、図３の第３の伝送路特性推定ブロックと対応する。
【０１６２】
以上の構成により本実施の形態によれば、第３の実施の形態に比して、ＳＰ発生回路２２０９、複素除算回路２２１０、補間回路２２１１を省略することができ、ハードウェアの規模を削減することができる。
【０１６３】
（第５の実施形態）
図５は、本発明の実施形態に係るマルチパス除去装置３の構成例を示すブロック図である。マルチパス除去装置３は、マルチパスキャンセル機能を有しない従来のＯＦＤＭ信号受信装置４に前置して接続される。
【０１６４】
図５において、アンテナ１により受信された信号は、マルチパス除去装置３内部のチューナ３１に供給される。
【０１６５】
チューナ３１は、アンテナから供給される受信信号に対して、所望のサービスを含むＯＦＤＭ信号の抽出、ＲＦ帯域からＩＦ帯域への周波数変換、ゲイン調整等を行う。チューナ３１の出力は、マルチパス等化部３２に供給される。
【０１６６】
マルチパス等化部３２は、チューナ３１の出力からマルチパス干渉を除去する。マルチパス等化部３２の出力は、アップコンバータ３３に供給される。
【０１６７】
アップコンバータ３３は、マルチパス等化部３２の出力を再びＲＦ帯域に周波数変換する。アップコンバータ３３の出力は、マルチパス除去装置３の出力として従来のＯＦＤＭ信号受信装置４に供給される。
【０１６８】
図６は、本発明の第５の実施形態におけるマルチパス除去装置３中のマルチパス等化部３２ａの構成を示すブロック図である。図６において、図３に示すＯＦＤＭ信号復調部２２ｆと同一部分には、同一符号を付して示す。
【０１６９】
図６に示すマルチパス等化部３２ａの特徴は、図３におけるＯＦＤＭ信号復調部２２ｆに、直交変調回路３２０１を追加したことである。
【０１７０】
直交変調回路３２０１は、加算器２２２１の出力を直交変調することにより、ベースバンドからＩＦ帯域へ周波数変換するとともに、Ｉ軸成分とＱ軸成分とからなる複素数信号を実信号に変換する。直交変調回路３２０１の出力は、マルチパス等化部３２ａの出力としてアップコンバータ３３に供給される。
【０１７１】
他の構成及び動作は、図３におけるＯＦＤＭ信号復調部２２ｆの場合と同一であるので説明を省略する。
【０１７２】
この構成により、第５の実施形態によれば、シンボル間干渉を引き起こすマルチパス成分、つまりガード期間長を超える遅延時間のマルチパス成分のみをキャンセルするので、マルチパスキャンセル機能を有しない従来のＯＦＤＭ信号受信装置４を使用することが可能なだけでなく、従来のＯＦＤＭ信号受信装置４が、レベルの小さなキャリアに対応する判定データの信頼性を下げることにより、マルチパス干渉に対する耐性を高める機能を有する場合、その機能を損なわずに、マルチパス除去装置３を追加することが可能となる。
【０１７３】
（第６の実施形態）
図７は、本発明の第６の実施形態におけるマルチパス除去装置３中のマルチパス等化部３２ｂの構成を示すブロック図である。図７において、図４及び図６と同一部分には同一符号を付して示す。
【０１７４】
図７に示すマルチパス等化部３２ｂは、減算器２２０２の入力において観測される系の伝送路特性Ｆ（ω）の代わりに、ＦＩＲフィルタ２２０３の伝達関数Ｗ（ω）を用いてキャンセル残差を求める点で、図６に示すマルチパス等化部３２ａと相違する。
【０１７５】
つまり、図７に示すマルチパス等化部３２ｂと図６に示すマルチパス等化部３２ａとの関係は、図２に示すＯＦＤＭ信号復調部２２ｅと図１に示すＯＦＤＭ信号復調部２２ｄとの関係と同様である。したがって、詳細な構成及び動作の説明は省略する。
【０１７６】
以上の構成により、第６の実施形態によれば、第５の実施形態に比して、ＳＰ発生回路２２０９、複素除算回路２２１０、補間回路２２１１を省略することができ、ハードウェアの規模を削減することができる。
【０１７７】
なお、本発明の実施形態においては、信号帯域内に分散的に配置されたパイロットキャリアを含む伝送方式を例にとり説明したが、伝送路特性を推定するブロック（伝送路特性推定部）の構成を適宜変更することにより、全キャリアの振幅及び位相が既知であるパイロットシンボルが存在する伝送方式等、他の種類の伝送方式に対しても適用可能である。
【０１７８】
また、伝送方式によっては、ビタビ復号回路２２１７あるいはＲＳ復号回路２２１８の前処理として一つ以上のインターリーブ処理を挿入することもあるが、これらは本発明の原理とは無関係であり、インターリーブ処理挿入の有無に関わらず、本発明の原理を適用することができることは言うまでもない。
【０１７９】
また、図には示していないが、ＯＦＤＭ信号復調部２２及びマルチパス等化部３２において使用しているデジタル信号処理のためのＡＤ（Ａｎａｌｏｇ  ｔｏＤｉｇｉｔａｌ：アナログ−デジタル）変換器ならびにＤＡ（Ｄｉｇｉｔａｌｔｏ  Ａｎａｌｏｇ：デジタル−アナログ）変換器の挿入位置は、本発明の原理とは無関係であり、ＡＤ変換器ならびにＤＡ変換器の挿入位置に関わらず、本発明の原理を適用することができることは言うまでもない。
【０１８０】
最後に、本発明の実施形態においては、各々の構成要素が個別のハードウェアとして固有の機能を具現化するものとして説明したが、このような実現方法は本発明の原理とは無関係であり、本発明の構成要素の一部あるいは全体を、ＤＳＰ（Ｄｉｇｉｔａｌ  Ｓｉｇｎａｌ  Ｐｒｏｃｅｓｓｏｒ：デジタル信号処理用プロセッサ）等の汎用ハードウェア上で実行されるソフトウェアとして具現化してもよいことは言うまでもない。
【図面の簡単な説明】
【図１】本発明の第１の実施形態におけるＯＦＤＭ信号受信装置２中のＯＦＤＭ信号復調部２２ｄの構成を示すブロック図である。
【図２】本発明の第２の実施形態におけるＯＦＤＭ信号受信装置２中のＯＦＤＭ信号復調部２２ｅの構成を示すブロック図である。
【図３】本発明の第３の実施形態におけるＯＦＤＭ信号受信装置２中のＯＦＤＭ信号復調部２２ｆの構成を示すブロック図である。
【図４】本発明の第４の実施形態におけるＯＦＤＭ信号受信装置２中のＯＦＤＭ信号復調部２２ｇの構成を示すブロック図である。
【図５】本発明の実施形態に係るマルチパス除去装置３の構成例を示すブロック図である。
【図６】本発明の第５の実施形態におけるマルチパス除去装置３中のマルチパス等化部３２ａの構成を示すブロック図である。
【図７】本発明の第６の実施形態におけるマルチパス除去装置３中のマルチパス等化部３２ｂの構成を示すブロック図である。
【図８】従来技術及び本発明の実施形態に係わる伝送方式のパイロット信号配置を示す模式図である。
【図９】従来のＯＦＤＭ信号受信装置２の構成例を示すブロック図である。
【図１０】特許文献１に開示されているＯＦＤＭ信号受信装置におけるＯＦＤＭ信号復調部２２ａの構成を示すブロック図である。
【図１１】特許文献２に開示されているＯＦＤＭ信号受信装置におけるＯＦＤＭ信号復調部２２ｂの構成を示すブロック図である。
【図１２】非特許文献１に開示されているＯＦＤＭ信号受信装置におけるＯＦＤＭ信号復調部２２ｃの構成を示すブロック図である。
【図１３】従来のＯＦＤＭ信号受信装置中のＯＦＤＭ信号復調部の動作を説明するための模式図である。
【符号の説明】
１…受信アンテナ
２，４…ＯＦＤＭ信号受信装置
３…マルチパス除去装置
２１，３１…チューナ
２２…ＯＦＤＭ信号復調部
２３…情報源復号部
２４…サービス提示部
３２…マルチパス等化部
３３…アップコンバータ
２２０１…直交復調回路
２２０２…減算器
２２０３，２２２２…ＦＩＲフィルタ
２２０４，２２０８ａ，２２０８ｂ，２２２３…ＦＦＴ回路
２２０５，２２０９，２２２４…ＳＰ発生回路
２２０６，２２１０，２２１５，２２２５…複素除算回路
２２０７，２２１１，２２２６…補間回路
２２１２ａ，２２１２ｂ…残差算出回路
２２１３…ＩＦＦＴ回路
２２１４ａ，２２１２ｂ…係数更新回路
２２１６…判定回路
２２１７…ビタビ復号回路
２２１８…ＲＳ復号回路
２２１９ａ，２２１９ｂ…信頼性算出回路
２２２０…重み付け回路
２２２１…加算器
３２０１…直交変調回路
【図１】
2004165990.tif 000018
【図２】
2004165990.tif 000019
【図３】
2004165990.tif 000020
【図４】
2004165990.tif 000021
【図５】
2004165990.tif 000022
【図６】
2004165990.tif 000023
【図７】
2004165990.tif 000024
【図８】
2004165990.tif 000025
【図９】
2004165990.tif 000026
【図１０】
2004165990.tif 000027
【図１１】
2004165990.tif 000028
【図１２】
2004165990.tif 000029
【図１３】
2004165990.tif 000030